(57)【要約】【課題】  極板群を電槽内に収容する際の電槽の内反り現象を効果的に矯正することができる密閉形鉛蓄電池を提供する。【解決手段】  複数の正極板と、複数の負極板とを備え、これら正極板と負極板とをセパレータを介して交互に積層した極板群１が電槽４内に収容されてなる密閉形鉛蓄電池において、極板群１が電槽４内に高圧縮状態で収容される際の電槽４の内反り現象を矯正する矯正部材５を設ける。矯正部材５は、充電中に起こるガス発生に伴う酸霧が安全弁装置内へ侵入するのを防止するための防沫板としても機能させることができる。また、複数のセルを備えた密閉形鉛蓄電池の場合には、両端部のセルについて矯正部材５を使用することが望ましい。【選択図】  図１
2005071663.tif 000002
【特許請求の範囲】
【請求項１】
正極板と負極板とをセパレータを介して交互に積層してなる極板群が電槽内に収容されてなる密閉形鉛蓄電池において、
前記電槽の形状を矯正する矯正部材を設けたことを特徴とする密閉形鉛蓄電池。
【発明の詳細な説明】
【技術分野】
【０００１】
本発明は、密閉形鉛蓄電池に関する。
【背景技術】
【０００２】
一般に、密閉形鉛蓄電池は、複数の正極板と、複数の負極板とを備え、該正極板と該負極板との間にセパレータをさらに備えた極板群が電槽内に収容され、その後電槽の上部に蓋が配置されて構成される。また、セパレータはガラス繊維や多孔体などで構成され、正負極板やセパレータ内には電解液が含浸されている。
【０００３】
この密閉形鉛蓄電池は、セパレータ等に電解液が固定化されているため、従来の多量の遊離する電解液を備える液式鉛蓄電池と比較して設置や取り扱いが容易であり、かつ正極で発生する酸素ガスが負極で水に還元される反応（密閉反応）により、長期にわたるメンテナンスフリー化が可能となる。このため、情報通信設備等のバックアップ電源などに広く実用化されている。
【０００４】
ところで、密閉形鉛蓄電池の性能を向上させるためには、極板群を電槽内に収容した際に極板群が圧縮されていることが効果的であるとされている（特許文献１、特許文献２参照）。また、極板群が収容された電槽の上部には蓋を配置する場合には、蓋の外縁内方に突出形成された導入部材で多少は内方に変形した電槽の開口縁を導き、互いの縁の位置を合せてヒートシールなどの方法で密閉することが一般的である（特許文献３参照）。
【０００５】
【特許文献１】特開昭５６−１４３６６８号公報（２頁右上欄１〜３行）
【特許文献２】特開平１０−３３４９４０号公報（２頁２欄３〜６行）
【特許文献３】特公昭５０−１５０５４号公報（１頁１欄２７行〜２欄８行）
【発明の開示】
【発明が解決しようとする課題】
【０００６】
しかし、特許文献１、２に記載されたように電槽で極板群を高圧縮すると、図３に示す如く、極板群１を電槽４内に収容した後に電槽の開口端が内側に大きく反る現象（以下、「内反り現象」とする）が発生することがある。また、内反り現象が発生した電槽に対して、例えば特許文献３に記載されたように蓋を配置してヒートシールなどの方法で密閉すると、電槽の外縁と蓋の外縁の位置合わせが、該蓋の外縁内方に突出形成された導入部材だけでは位置合わせが難しくなる問題点が発生する。
【０００７】
そこで、本発明は、前述の問題点を解決するため、極板群を電槽内に収容する際の電槽の内反り現象を効果的に矯正することができる密閉形鉛蓄電池を提供することを目的とする。
【課題を解決するための手段】
【０００８】
請求項１の発明は、正極板と負極板とをセパレータを介して交互に積層してなる極板群が電槽内に収容されてなる密閉形鉛蓄電池において、前記電槽の形状を矯正する矯正部材を設けたことを特徴とする。
【発明の効果】
【０００９】
本発明によれば、密閉形鉛蓄電池において、前記電槽の形状を矯正する矯正部材を設けたため、極板群を電槽内に収容する際の電槽の内反り現象を簡単かつ効果的に矯正することができ、電槽と蓋の位置合せが容易に出来る。
【発明を実施するための最良の形態】
【００１０】
本発明の実施形態を説明する。図１は本発明の実施形態である密閉形鉛蓄電池の、電槽に蓋を設けて密閉する前の状態の一例を示す上面図であり、図２は本発明の実施形態である密閉形鉛蓄電池の、電槽に蓋を設けて密閉する前の状態の一例を示す側断面図である。
【００１１】
図１および図２において、１は極板群であり、複数の正極板１ａと複数の負極板１ｂとを備え、正極板１ａと負極板１ｂとの間にセパレータ１ｃをさらに備えている。なお、極板群１において、極板の積層方向は図１の上下方向である。２ａ、２ｂは同種の極板同士を連結するストラップであり、例えばストラップ２ａは複数の正極板１ａ同士を連結し、ストラップ２ｂは複数の負極板１ｂ同士を連結する。３ａ、３ｂは極柱であって、ストラップ２ａ、２ｂにそれぞれ植立されている。４は極板群１が収容される電槽である。５は電槽４に極板群１が収容された際に電槽４の内反り現象を矯正する矯正部材である。
【００１２】
この矯正部材５は、電槽４に極板群１を収納した後、極板の積層方向と直行する電槽４の両外壁が内反り現象を起こすので、この直行する両外壁間内寸に一致或いは少し短い寸法の長さを有する矯正部材５を用い、ストラップ２ａ、２ｂの上面に載置した。この際用いる矯正部財は図示の如く比較的広幅なものを用いて防沫板兼用とすることが部材数を増やさず多機能を持つものにし得効果的であり、コスト的にも有利である。
【００１３】
本実施形態の密閉形鉛蓄電池は、矯正部材５を設けることにより、きわめて簡単かつ効果的に電槽４の形状を矯正することができる。ここで、電槽４の内反り現象とは、図１および図２の左右方向に電槽が内反り変形することを意味し、その状態の一例の上面図を図３に示すが、本実施形態においては、矯正部材５を設けることにより、電槽４の内反り現象を簡単に矯正することができ、電槽と蓋の位置合せが容易になる。
【００１４】
矯正部材５を施した後は、これに蓋を施すも上記で説明した通り、内反り現象は矯正されているので、位置合わせが容易にでき良好なヒートシールが出来る。蓋を施した後、蓋中央に予め設けられた開口部から電解液を電槽内に注液し、該蓋の開口部に安全弁装置を取り付けて密閉することで密閉形鉛蓄電池を提供することができる。
【００１５】
なお、図１および図２は、１つの電槽が１つのセルにより構成される密閉形鉛蓄電池の例を示しているが、１つの電槽内に複数のセルを備えた密閉形鉛蓄電池の場合には、端部のセルについて矯正部材５を使用することが望ましい。
【００１６】
なお、本発明の実施形態は上述の例に限られることはなく、特許請求の範囲に記載された事項の範囲内において適宜変更が可能である。
【図面の簡単な説明】
【００１７】
【図１】本発明の実施形態である密閉形鉛蓄電池の、電槽に蓋を設けて密閉する前の状態の一例を示す上面図である。
【図２】本発明の実施形態である密閉形鉛蓄電池の、電槽に蓋を設けて密閉する前の状態の一例を示す側断面図である。
【図３】密閉形鉛蓄電池の、電槽に蓋を設けて密閉する前の状態の一例の上面図であって、電槽が内反り現象を発生している状態を示す図である。
【符号の説明】
【００１８】
１    極板群
１ａ  正極板
１ｂ  負極板
１ｃ  セパレータ
２ａ、２ｂ  ストラップ
３ａ、３ｂ  極柱
４    電槽
５    矯正部材
【図１】
2005071663.tif 000003
【図２】
2005071663.tif 000004
【図３】
2005071663.tif 000005